(57)【要約】【課題】ダクト口径が大きな通風路に対して高い消音効果がある能動消音ユニットを備え、気流の乱れによる能動消音ユニットの消音効果の低下を抑制したレンジフードを提供することを目的とする。【解決手段】本体６下部の開口部２から換気用ファン８までの風路７の一部を外郭１０と仕切り部材１１により複数の小風路１２に分割する能動消音ユニット１３を備え、仕切り部材１１の下方延長線上に仕切り部材１１と整流板４を接続する接続部材１６を設置する構成とした。【選択図】図１
2014163570.tif 000002
【特許請求の範囲】
【請求項１】
加熱調理器の上方に設置され、
下面に調理時に発生する油煙を含んだ空気を吸い込む吸込口と上面に開口部を有するフードと、前記フード下端近傍に前記吸込口に面して設置する取り外し可能の整流板と、
前記フード上面の前記開口部に連通し屋外に連通した吐出口を有する直方体の本体とから構成され、
前記本体の上部に前記吐出口と前記吸込口とを結ぶ風路内の空気を屋外に排気する換気用ファンおよびモータと、
前記本体の下部に前記開口から前記換気用ファンまでの前記風路の一部を筒状の外郭と仕切り部材により複数の小風路に分割する能動消音ユニットを備え、
前記能動消音ユニットは、前記本体と前記外郭の間、もしくは仕切り部材内の空間にマイクロホンとスピーカを上下方向に設け、
前記仕切り部材の下方延長線上に前記仕切り部材と前記整流板を接続する接続部材を有することを特徴とするレンジフード。
【請求項２】
接続部材の垂直断面の幅は、上部より下部の方が大きく、整流板と滑らかな曲線で接続することを特徴とする請求項１に記載のレンジフード。
【請求項３】
接続部材と仕切り部材を一体で形成することを特徴とする請求項１または２に記載のレンジフード。
【請求項４】
接続部材と整流板を一体とすることを特徴とする請求項１または２に記載のレンジフード。
【発明の詳細な説明】
【技術分野】
【０００１】
本発明は、レンジフードの風路に付設してレンジフード運転時に発生する騒音を消音するための能動消音ユニットを備えたレンジフードに関するものである。
【背景技術】
【０００２】
近年、台所に設置されるレンジフードは運転時に発生する騒音を低下することが求められている。このような課題を解決する手段の一つとして、レンジフード内に能動消音ユニットを搭載するという方法が挙げられる。
【０００３】
従来、ダクト用能動消音ユニットとしては、図５の断面図に示すように、ダクト１０１の内部に上流側から適宜間隔をそれぞれ設けて順次付設された内部原音のリファレンスマイク１０２，消音用スピーカ１０３，エラーマイク１０４  と、それらとそれぞれ接続された演算制御器１０５とから構成されるものが知られている（例えば特許文献１参照）。
【０００４】
この種の装置において、ダクト１０１内を気流１０６とともに伝搬する発生音は、リファレンスマイク１０２で周波数等が検出され、演算制御器１０５で上記原音と逆位相の信号が作成され、それが消音用スピーカ１０３からダクト１０１内に放出され上記原音をキャンセル消音し、エラーマイク１０４が内部音をモニターし、演算制御器１０５でエラーマイク１０４の出力が零になるように消音用スピーカ１０３を自動的に調整している。
【０００５】
このような能動消音ユニットは、一次元音場において伝播する騒音を消音するものであり、送風路を伝播する騒音においては、平面波で且つある周波数帯域までの制御が可能である。
【０００６】
しかしながら、平面波の周波数はダクト口径によって変化するため、ダクト口径が大きい場合には平面波になる周波数が狭帯域化し、本来消音しなければならない周波数帯域の騒音は一次元音場と仮定できなくなり消音することができない。
【０００７】
このため、大口径の通風路用の能動消音ユニットとして、消音用通風路をセル状に分割して、口径の小さいダクト（小口径ダクト）の組み合わせとし、各小口径ダクトにおいて平面波で伝播する騒音の周波数範囲を広帯域化して制御するものが知られている（例えば特許文献２参照）。
【０００８】
以下、その能動消音ユニットについて図６を参照しながら説明する。
【０００９】
図６に示すように、大口径ダクトを小口径ダクト２０１、２０２、２０３、２０４のセル状に分割し、各口径ダクトの同じ位置にスピーカ１０３が設置されている。また、小口径ダクト２０１に、スピーカ１０３の設置位置より上流側にリファレンスマイク１０２、下流側にエラーマイク１０４を設置する。そして、リファレンスマイク１０２、エラーマイク１０４で検出される騒音信号は演算制御器１０５に入力され、演算制御器１０５はこれらの騒音信号に基づいてスピーカ１０３に出力する駆動信号を生成し、各小口径ダクトに設置したスピーカ１０３にこの駆動信号を出力し、同一の打ち消し音によって各小口径ダクトを伝播する騒音を消音する。
【００１０】
このように、大口径ダクトをセル上に分割して、小口径ダクトの組み合わせとすることで、平面波で伝播する周波数帯域が広くなり、十分な消音効果を得ることができる。
【００１１】
なお、図６において、図５に示す構成要素と同じ又は同様の構成要素は同一の参照符号によって指示している。
【先行技術文献】
【特許文献】
【００１２】
【特許文献１】実開平５−１１１９８号公報
【特許文献２】特開平９−１６０５６７
【発明の概要】
【発明が解決しようとする課題】
【００１３】
一般的にレンジフードは調理時に発生する油煙を十分に排気するため、口径が大きく、かつレンジフードの騒音の周波数特性は広域に分布する傾向があるので、広い周波数域において消音効果を得る必要がある。しかしながら上記特許文献２に記載の能動消音ユニットでは、大口径ダクトをセル状に分割することは有効ではあるが、吸込口における小口径ダクト２０１間での気流の分岐によって渦や乱れが生じ、消音効果が低下するという課題がある。
【００１４】
また、小口径ダクト２０１に設置しているスピーカ１０３が他の小口径ダクト２０２、２０３、２０４に設置したスピーカ１０３による打ち消し音を検出するクロストークが生じることで、ハウリング等により消音効果が低下するという課題がある。
【００１５】
そこで本発明は、上記課題を解決するものであり、ダクト口径が大きな通風路に対して高い消音効果がある能動消音ユニットを備え、気流の乱れによる能動消音ユニットの消音効果の低下を抑制したレンジフードを提供することを目的とする。
【課題を解決するための手段】
【００１６】
そして、本発明は上記目的を達成するために、加熱調理器の上方に設置され、下面に調理時に発生する油煙を含んだ空気を吸い込む吸込口と上面に開口部を有するフードと、前記フード下端近傍に前記吸込口に面して設置する取り外し可能の整流板と、前記フード上面の前記開口部に連通し屋外に連通した吐出口を有する直方体の本体とから構成され、前記本体の上部に前記吐出口と前記吸込口とを結ぶ風路内の空気を屋外に排気する換気用ファンおよびモータと、前記本体の下部に前記開口から前記換気用ファンまでの前記風路の一部を外郭と仕切り部材により複数の小風路に分割する能動消音ユニットを備え、前記能動消音ユニットは、前記本体と前記外郭の間、もしくは仕切り部材内の空間にマイクロホンとスピーカを上下方向に設け、前記仕切り部材の下方延長線上に、前記仕切り部材の幅以上で前記開口部以下の長さを有し、前記仕切り部材と前記整流板を接続する接続部材を有するものであり、これによって所期の目的を達成するものである。
【発明の効果】
【００１７】
本発明によれば、レンジフード内に小口径ダクトに分割された能動消音ユニットを設置しても、気流の乱れや渦が発生するのを抑制する構成とすることで消音効果の低下を抑え、かつクロストークによる消音効果の低下も抑制することができる。
【図面の簡単な説明】
【００１８】
【図１】本発明の実施の形態１のレンジフードの側断面を示す構成図
【図２】同レンジフードの能動消音ユニット近傍の断面図
【図３】同レンジフードの吸込口近傍の断面図
【図４】同レンジフードの基本構成を示す断面斜視図
【図５】従来の能動消音ユニットを示す断面図
【図６】従来の能動消音ユニットを示す概要斜視図
【発明を実施するための形態】
【００１９】
本発明の請求項１記載のレンジフードは、加熱調理器の上方に設置され、下面に調理時に発生する油煙を含んだ空気を吸い込む吸込口と上面に開口部を有するフードと、前記フード下端近傍に前記吸込口に面して設置する取り外し可能の整流板と、前記フード上面の前記開口部に連通し屋外に連通した吐出口を有する直方体の本体とから構成され、前記本体の上部に前記吐出口と前記吸込口とを結ぶ風路内の空気を屋外に排気する換気用ファンおよびモータと、前記本体の下部に前記開口から前記換気用ファンまでの前記風路の一部を外郭と仕切り部材により複数の小風路に分割する能動消音ユニットを備え、前記能動消音ユニットは、前記本体と前記外郭の間、もしくは仕切り部材内の空間にマイクロホンとスピーカを上下方向に設け、前記仕切り部材の下方延長線上に前記仕切り部材と前記整流板を接続する接続部材を有するものである。
【００２０】
これにより、吸込口における小風路間での気流の分岐によって生じる渦や乱れを抑制し、小風路内の気流を整流化することで能動消音ユニットの消音効果の低下を抑制できる。更に、小風路内に設置されたマイクロホンが他の小風路内に設置されたスピーカが発生する音を検出するクロストークによって消音効果が低下することを抑制できる。
【００２１】
また、接続部材の垂直断面の幅は、上部より下部の方が大きく、整流板と滑らかな曲線で接続することで、気流が滑らかに小風路内へと流入され、気流の乱れによる能動消音ユニットの消音効果の低下を抑制できる。
【００２２】
また、接続部材と仕切り部材を一体で形成することで、接続部材と仕切り部材の境目の隙間や段差により気流の乱れが生じることを防ぎ、能動消音ユニットの消音効果の低下を抑制できる。
【００２３】
また、接続部材と整流板を一体とすることで、連結部材を整流板と同時に取り外すことができるため、メンテナンス時の作業工数を減らし、メンテナンス性が上がる。なお、連結部材と整流板が滑らかな曲面で接続されている場合には、付着油をふき取りやすくなるので、更にメンテナンス性が上がる。
【００２４】
（実施の形態１）
以下、本発明の実施の形態について、図１、図２、図３、図４を参照しながら説明する。
【００２５】
図１のレンジフード側断面図に示すように、本実施の形態のレンジフードは、下面に調理時に発生する油煙を含んだ空気を吸い込む吸込口１と上面に開口部２を有するフード３と、フード３下端近傍に吸込口１に面して設置する取り外し可能の整流板４と、フード３上面の開口部２近傍に設置する吸い込んだ空気から油塵を除去するフィルタ１７と、フード３上面の開口部２に連通し屋外に連通した吐出口５を有する直方体の本体６とから構成され、本体６の上部に吐出口５と吸込口１を結ぶ風路７内の空気を屋外に排気する換気用ファン８およびモータ９と、本体６の下部に開口から換気用ファン８までの風路７の一部を外郭１０と仕切り部材１１により複数（本実施形態では４つ）の小風路１２に分割する能動消音ユニット１３を備えたものである。
【００２６】
レンジフードに付設する能動消音ユニット１３は、風路７内を伝播する騒音を検出するマイクロホン１４と、マイクロホン１４によって検出された騒音とは逆位相の音を風路７内に放出して消音するスピーカ１５と、これらを接続してコントロールする演算制御器（図示せず）から構成されている。
【００２７】
また、マイクロホン１４とスピーカ１５はそれぞれの小風路１２ごとに搭載されており、前記本体６と外郭１０の間、もしくは仕切り部材１１内の空間に上下方向に設け、小風路１２内に面して設置されている。
【００２８】
そして、仕切り部材１１の下方延長線上に、仕切り部材１１と整流板４とを接続する接続部材１６を有している。接続部材１６の垂直断面の幅は、上部より下部の方が大きく、整流板４と滑らかな曲線で接続する構成となっている。
【００２９】
なお、本実施の形態では仕切り部材１１はスピーカ１５やマイクロホン１４を取り付けるために内部が空間となっているが、スピーカやマイクを外郭に設置する場合は、仕切り部材を板形状としても良い。
【００３０】
上記構成により、吸込口１から吸い込まれた排気風は風路７内を、フィルタ１７、小風路１２、排気用ファンの順で通過した後、吐出口５からフード３外へと排気され、能動消音ユニットを備えているために、送風に伴うファン騒音は低減されて居室につながる吸込口１から放射されることとなる。
【００３１】
ここで、図３の吸込口１近傍の断面図を用いて、接続部材１６により消音効果の低下が抑制される作用・効果を説明する。
【００３２】
図３に示すように、吸込口１から吸い込まれた排気風は整流板４とフード３下面の間を通過し、小風路１２へと流入するが、接続部材１６によりそれぞれの小風路１２吸込口１の隣り合う小風路１２と接する面は物理的に遮断されている。
【００３３】
したがって、接続部材１６を設けない場合に、整流板４とフード３下面の間を水平方向に通過した排気風が垂直方向に流れの向きを変え小風路１２へと流入する際に生じる小風路吸込開口部１８近傍での気流の分岐による乱れや渦の発生を抑制することができる。
【００３４】
さらに、接続部材１６の垂直断面の幅は、上部より下部の方が大きく、整流板４と滑らかな曲線で接続する構成となっている。これにより、気流が滑らかに小風路１２内へと流入され、気流の乱れによる能動消音ユニット１３の消音効果の低下を抑制できる。
【００３５】
なお、気流分岐が起こる接続部材側端部１９と小風路吸込開口部１８との距離を大きくし、接続部材１６の側端部における気流分岐により生じる気流乱れが小風路１２内の気流に及ぼす影響を緩和するために、接続部材１６の幅Ｌ1を仕切り部材１１の幅Ｌ2より大きくすることが好ましい。
【００３６】
以上のことから、能動消音ユニット１３を備えたことで気流の乱れや渦が発生し、これによる新たな騒音発生を抑制することができる。
【００３７】
更に、接続部材１６によりそれぞれの小風路１２吸込口１の隣り合う小風路１２と接する面は物理的に遮断されているため、小風路１２吸込口１から放出されるスピーカ１５からの打消し音が、整流板４によって反射されるなどして他の小風路１２内へ入りこみ、この音を他の小風路１２に設置されているマイクが検出するクロストークが発生することを抑制することができる。クロストークが生じると、ハウリングなどの要因となり、十分な消音効果を得ることができない。したがって、接続部材１６によりクロストークを抑制することは、消音効果の低下の抑制に有効である。
【００３８】
なお、本実施の形態では接続部材１６は仕切り部材１１と一体となった構成としているが、図４に示すように、接続部材１６は整流板４と一体とした構成としても良い。このとき、連結部材を整流板４と同時に取り外すことができるため、メンテナンス時の作業工数が減り、更に連結部材と整流板４が滑らかな曲面で接続されていることから付着油をふき取りやすくなるので、メンテナンス性が上がる。
【００３９】
なお、本来この種のレンジフードには整流板４の四隅近傍にフード３と整流板４との連結部材が設けられているが、連結部材がフード３と整流板４との取り付け部もかねることで部品数を減らすことができる。更に連結部材によって生じる気流の乱れを抑制し、小風路１２内に流入する気流を整流化することができる。
【００４０】
なお、本実施の形態では、フード３上面の開口部２近傍に小風路１２ごとにフィルタ１７を設置しているが、フィルタ１７の配置や取り付けが困難な場合等は、フィルタ１７を一枚として接続部と能動消音ユニット１３の間に挟む、もしくはフィルタ１７を接続部材１６の側面まわりにフード３の開口部２以上の径の円筒形状として設けてもよい。
【産業上の利用可能性】
【００４１】
本発明にかかるレンジフード用能動消音ユニットは、十分な消音効果を得るとともに、消音効果の低下の要因となる気流の乱れやクロストークが生じることを抑制し、大口径で吸込口に面してパネル部材を有する換気装置に搭載する消音装置として有用である。
【符号の説明】
【００４２】
１    吸込口
２    開口部
３    フード
４    整流板
５    吐出口
６    本体
７    風路
８    換気用ファン
９    モータ
１０  外郭
１１  仕切り部材
１２  小風路
１３  能動消音ユニット
１４  マイクロホン
１５  スピーカ
１６  接続部材
１７  フィルタ
１８  小風路吸込開口部
【図１】
2014163570.tif 000003
【図２】
2014163570.tif 000004
【図３】
2014163570.tif 000005
【図４】
2014163570.tif 000006
【図５】
2014163570.tif 000007
【図６】
2014163570.tif 000008